(57)【特許請求の範囲】
【請求項１】
玉送り用の螺旋溝を有する回転体と、この回転体の回転軸を水平状態に支承する筐体と、を備える遊技機の玉払出装置であって、
前記螺旋溝と該筐体の内側面との間に玉一個が通過可能な隙間を設け、この隙間に玉載せ台を配設するとともに、
前記筐体の内部上方には縦横の幅を玉２個分超〜３個分未満の寸法として２段２列以上３段３列未満の玉が流入可能とした玉導入路を設け、前記筐体の内部下方には玉計数センサーを有する玉払出通路を設けたうえに、
該玉導入路と該玉払出通路との間に前記回転体を介装して、２段２列以上３段３列未満の状態で前記玉導入路に流れ込んだ玉を、前記回転体の回転により前記螺旋溝に順次取り込んだうえ、この玉を前記玉載せ台に仮保持するとともに、前記螺旋溝によって回転軸の軸方向に移送して一玉ずつ玉払出通路に払い出すようにしたことを特徴とする遊技機の玉払出装置。
【請求項２】
回転体を、捲き線が捲回されたコイルバネと、このコイルバネの内部に挿入された円柱状の回転軸とからなるものとしたうえに、捲き線部間の間隔を玉が入り込み可能な幅として螺旋溝を形成した請求項１に記載の遊技機の玉払出装置。
【請求項３】
前記筐体の上流に、凹溝状の玉通路樋を備えた遊技機の玉払出装置であって、
前記玉通路樋の横幅と高さを玉２個分超〜３個分未満の寸法とし、前記玉通路樋の底面には、山形突条と、この山形突条の両側に位置する２本の玉案内溝とを、長手方向に沿って形成したことを特徴とする請求項１または請求項２記載の遊技機の玉払出装置。
【発明の詳細な説明】
【技術分野】
【０００１】
本発明は、上流の玉タンクから送り込まれた玉を賞玉として一玉ずつ払い出すための遊技機の玉払出装置に関するものである。
【背景技術】
【０００２】
パチンコ機の裏面には、機構盤が設けられ、この機構盤の上部には賞玉を貯留するための玉タンクが配設されている。玉タンクの下方には玉通路樋が接続されている。従来、玉通路樋（玉整列レール）によって整列（特に一段に整列）させてから玉払出装置で払い出すものがあった。しかし、２段から１段に整列させる部分で玉噛みが起こるので、その部分に揺動する錘をぶら下げたり（特許文献１）、振動させたり（特許文献２、３）して、玉噛みを解消していた。しかし、前者は確実性に欠け、後者は別途動力が必要になるという問題があった。
そこで、後者の玉崩し用の動力を払出用の動力で賄う、つまり、無整列のままの玉タンクから直接玉払出装置で崩しながら整列させて払い出すものが考えられている（特許文献４）。しかし、無整列のままであると、図８に示すようなアーチ（トンネル）状の玉噛みが起こる可能性を排除することが出来なかった。
【先行技術文献】
【特許文献】
【０００３】
【特許文献１】特開平０７−０３１７１９号公報
【特許文献２】特開平０７−０９６０７７号公報
【特許文献３】特開平０８−１４１１７６号公報
【特許文献４】特開２０００−１８９６１８号公報
【発明の概要】
【発明が解決しようとする課題】
【０００４】
本発明は、上記した従来の問題点に鑑み、流下する玉を一段一列に整列させることを必要とせず、これによって玉詰まりを防止して一玉ずつ玉を下流に払い出すことができる遊技機の玉払出装置を提供することを課題とする。
【課題を解決するための手段】
【０００５】
本願発明においては、玉通路樋によって玉を１段×１列には整列させないが、アーチ（トンネル）状の玉噛みが起きない程度の２段２列以上３段３列未満に整列させてのち玉払出装置によって玉列を崩しながら１列１段の状態で払い出す構造とした。ここで２段とは２個の玉が上下に積み重なった状態をいい、２列とは２個の玉が横に連なった状態をいう。また、３段未満とは、玉が垂直に３段に積み重なっておらず一部の玉が横ずれしてジクザグ状に３個の玉が積み重なった状態をいい、３列未満とは玉が水平に３列に連なっておらず一部の玉が上方にずれて３個の玉が連なった状態をいう。
【０００６】
上記の課題を解決するためになされた本発明に係る遊技機の玉払出装置は、玉送り用の螺旋溝を有する回転体と、この回転体の回転軸を水平状態に支承する筐体と、を備える遊技機の玉払出装置であって、前記螺旋溝と該筐体の内側面との間に玉一個が通過可能な隙間を設け、この隙間に玉載せ台を配設するとともに、前記筐体の内部上方には縦横の幅を玉２個分超〜３個分未満の寸法として２段２列以上３段３列未満の玉が流入可能とした玉導入路を設け、前記筐体の内部下方には玉計数センサーを有する玉払出通路を設けたうえに、該玉導入路と該玉払出通路との間に前記回転体を介装して、２段２列以上３段３列未満の状態で前記玉導入路に流れ込んだ玉を、前記回転体の回転により前記螺旋溝に順次取り込んだうえ、この玉を前記玉載せ台に仮保持するとともに、前記螺旋溝によって回転軸の軸方向に移送して一玉ずつ玉払出通路に払い出すようにしたことを特徴とするものである。
【０００７】
上記した発明において、回転体を、捲き線が捲回されたコイルバネと、このコイルバネの内部に挿入された円柱状の回転軸とからなるものとしたうえに、捲き線部間の間隔を玉が入り込み可能な幅として螺旋溝を形成することができる。  
【０００８】
また、請求項３記載の発明は、請求項１または請求項２記載の遊技機の玉払出装置において、前記筐体の上流に、凹溝状の玉通路樋を備えた遊技機の玉払出装置であって、前記玉通路樋の横幅と高さを玉２個分超〜３個分未満の寸法とし、前記玉通路樋の底面には、山形突条と、この山形突条の両側に位置する２本の玉案内溝とを、長手方向に沿って形成したことを特徴とするものである。
【発明の効果】
【０００９】
請求項１に係る玉払出装置は、玉を２段２列以上３段３列未満の状態として筐体内に流れ込ませるとともに回転体を回転させて玉を螺旋溝に取り込むことができるので、玉を一段一列にすることを要せず、これによって玉詰まりの発生を防止することができる。そして、玉を螺旋溝に一玉ずつ取り込んで玉載せ台に仮保持するとともに、玉を螺旋溝によって回転軸の軸方向に移送して、玉払出通路に払い出すことができる。
請求項２に係る玉払出装置は、回転しているコイルバネの捲き線部間に玉を取り込むので、玉が２段２列になってコイルバネに流れ込んで来たときにも、玉を捲き線部間に取り込んだうえに、この玉をコイルバネにより押し出して一玉ずつ玉払出通路に送り出すことができる。
請求項３に係る発明は、玉通路樋で玉を２段２列以上３段３列未満の状態として玉払出装置に送り込むことができる。
【図面の簡単な説明】
【００１０】
【図１】玉通路装置の正面図である。
【図２】玉通路装置の平面図である。
【図３】玉払出装置の正面の断面図である。
【図４】玉払出装置の側面の断面図である。
【図５】玉払出装置の平面の断面図である。
【図６】筐体の構造を示す正面の断面図である。
【図７】回転体の構造を示す正面の断面図である。
【図８】アーチ状の玉詰まり状態を示す玉通路樋の断面図である。
【発明を実施するための形態】
【００１１】
以下に、本発明の実施形態に付いて説明する。
図１〜７は、本発明の実施形態を示す図であって、１は玉タンク、２は玉タンクに接続して設けられた玉通路装置であって、この玉通路装置２は、玉通路樋３と玉払出装置４とからなる。
【００１２】
玉通路樋３は、凹状に形成されていて、横幅が玉２個分超〜３個分未満（玉直径が１１ｍｍの場合には、２２ｍｍ超〜３３ｍｍ未満）である。玉通路樋３の底面は中央が高く長手方向に伸びる山形突条３１が形成されていて、この両側が玉案内溝３２となっている。また、側面３３の高さも玉２個分超〜３個分未満としてあって、蓋３４を施したときにもこの高さは確保されている。このように玉通路樋３の幅や高さを玉二個分より大なるものとしたので、二つの玉が横方向あるいは上下方向に並んで引き起こす玉詰まりを完全に防止することができる。
【００１３】
玉払出装置４は、玉通路樋３の下流側端部に配置されていて、この下方に賞玉を払い出すための玉誘導路（図示していない）が接続されている。玉払出装置４は、モータＭにより回転される回転体５と、回転体５の回転軸７を水平状態に支承する筐体６とからなる。回転体５は、モータＭの軸に接続された円柱状の回転軸７と、回転軸７が内部に挿入されたコイルバネ８とからなる。なお、回転体５は、回転軸７の外周に螺旋状の溝が形成されたものを用いることができる。
【００１４】
筐体６は、上部に玉通路樋３からの玉を取り込む玉入り口６１と、これに連通する玉導入路６８を有し、下部には玉計数センサー６２を備えた玉払出通路６３が筐体６の一方の側面に寄せて形成されている（図３）。６４は、メンテナンス等でパチンコ機内の玉を抜くときの玉抜き通路であって、遊技中は用いられない。なお、玉を抜くときはモータＭは逆回転される。
【００１５】
玉入り口６１は、玉通路樋３と同じく幅、高さとも玉２個分超〜３個分未満としてあって、二個の玉による玉詰まりを防止してある。玉導入路６８は、横断面形状が正方形乃至矩形であって、その横幅、高さ（又は縦幅）は玉入り口６１と同じく玉２個分超〜３個分未満として玉詰まりを防止してある。玉払出通路６３と玉抜き通路６４の間で回転軸７の左右の両側には、玉載せ台６５が設けてあって、玉入り口６１から取り込まれた玉がこの台６５の上に落下して一時仮保持される。玉払出通路６３の上部には凹状壁面６６が形成してあって、搬送されてきた玉をこの凹状壁面６６に衝突させて下方に落下させるように構成してある（図６）。
【００１６】
回転軸７は、モータＭの回転軸に取り付けられた基端側軸部７１と、これに接続された先端側軸部７２とからなる（図７）。先端側軸部７２は一端にスナップフィット部７３を有し、このスナップフィット部７３が基端側軸部７１に形成した小径部７４に嵌め込まれて一体に構成されている。この回転軸７はコイルバネ８の内部に挿入されている。コイルバネ８の一端は基端側軸部７１の鍔部７５に掛止され、他端は先端側軸部７２の鍔部７６を押圧している。コイルバネ８の弾発力により鍔部７５、７６間が拡大される方向に付勢されていて、基端側軸部７１と先端側軸部７２とコイルバネ８とがスクリュー構造を有する一体の玉払出用の回転体５となしてある。この回転体５の回転軸７が、玉導入路６８の下部で、玉抜き通路６４と玉払出通路６３の上部の筐体６内に水平状態に架け渡されている。よって、モータの回転軸Ｍ１と対向する軸受け９にはスラスト方向の力が掛かることがないので、モータに掛かる負荷を軽減して円滑に玉を払い出すことができる。そして、回転軸７の外周面７７と筐体６の内側の壁面６７との間は、玉一個分が通過可能な隙間が形成されている（図４）。
【００１７】
コイルバネ６は圧縮コイルバネであって、図７に示すように、捲き線部間の間隔は玉一個が入り込み可能な幅に形成してあるので、玉は捲き線部間に入り込むことができる。すなわち捲き線部間の間隔は、８ｍｍ以上〜２２ｍｍ未満としてある。また、コイルバネの外半径Ｒｓと回転軸５の外半径Ｒｊとの差ΔＲ（＝Ｒｓ−Ｒｊ）を玉の半径Ｒｂに対して、Ｒｂ／４超〜Ｒｂ未満としてあるので、回転軸５の外周面５７とコイルバネ６の捲き線部とにより玉を保持して送出することができる。ΔＲがＲｂ／４以下であるときには、コイルバネ６が玉の下側に潜り込みやすいので玉を効果的に横方向に押圧することができない。一方ΔＲがＲｂ以上であるときには、コイルバネ６が玉を上方から押さえ付けようとする力が玉に働くので、コイルバネ６が玉を瞬間的に上方に持ち上げて玉の塊を撹拌することによる玉詰まり防止効果が弱まるからである。
【００１８】
以上のように構成されたものにおいて、玉通路３内を下流に流下する玉は山形突条３２によって綺麗に案内溝３３に振り分けられるわけはなく、山形突条３２の頂部に存在したりして、玉通路樋３内を２段２列以上３段３列未満の状態に整理されて下流に流下する
そして、玉は玉入り口６１から筐体６内に流れ込む。玉の払い出し状態においては回転体５の回転により玉列は撹拌されながら崩されるので、玉導入路６８には玉が完全に充満せず撹拌移動が可能な遊び空間が残されていることが必要である。回転体５の回転により玉はコイルバネ８の捲き線部間に入り込む。入り込んだ玉は回転軸７の隣に設けられた玉載せ台６５上に落下して螺旋構造のコイルバネ８により玉払出通路６３の方向（回転軸７の軸方向）に搬送される。
【００１９】
回転軸５の左右の玉載せ台６５上の玉は捲き線が螺旋状に巻かれている分玉の位置がずれるので、時間がずれて凹状壁面６６に衝突し、図４に示すように左右の玉載せ台６５から交互に玉払出通路６３に落下する。落下した玉は一玉ずつタイミングをずらして払い出されるので、玉計数センサー６２が通過した玉の数を正確に計数し、所定数に達したら回転体５の回転が停止されて玉の払出が終了する。
【００２０】
なお、図５中下側の玉載せ台６５上の玉には、回転するコイルバネ８の上から下方への負荷が掛かるのでその分玉には加速度がついて速く落下する。一方、図５中上側の玉載せ台上の玉はコイルバネ８の下から上方への押し上げ力が働くので、その分玉は落下が遅れる。このため、図５中上の玉載せ台上の玉の落下と、下の玉載せ台上の玉の落下の時間間隔が縮まって玉間に隙間がなくつながって落下する場合には、玉計数センサー６２は、２個の玉を識別できずに一個としてカウントしてしまう恐れがある。
【００２１】
そこで、二つの玉間に隙間を形成するための方法として、下側の玉をコイルバネの押圧から速く開放するために側壁に逃げ空間６９を設けてある。これによって玉の下方への押圧力を解消して、下側の玉の落下速度を遅くすることができる。
また、図５中の上側の玉載せ台６５の左端を下側の玉載せ台６５の右端より右方に位置させて上側の玉を速く落下させるようにしても、二つの玉間に識別空間を設けることができて、玉計数センサー６２が玉を確実に識別して正確にカウントすることができる。
【符号の説明】
【００２２】
５  回転体、６  筐体、７  回転軸、８  コイルバネ、６２  玉計数センサー、６３  玉払出通路、６８  玉導入路
【図１】
0005467411.tif 000002
【図２】
0005467411.tif 000003
【図３】
0005467411.tif 000004
【図４】
0005467411.tif 000005
【図５】
0005467411.tif 000006
【図６】
0005467411.tif 000007
【図７】
0005467411.tif 000008
【図８】
0005467411.tif 000009